(57)【要約】【課題】  本発明の課題は、樹脂の種類や分子量にかかわらず、分散後に樹脂粒子同士が合一することがなく、粒度分布がシャープな樹脂粒子を得ることである。【解決手段】  連続相（ＣＰ）が流される第１の流路（Ｐ１）と、一端部が前記第１の流路（Ｐ１）内に存在し分散相（ＤＰ）が流される第２の微細流路（Ｐ２）とを用いて粒子を製造するための方法であって、分散相（ＤＰ）が樹脂（ｂ１）の溶剤溶液であり、分散相（ＤＰ）を連続相（ＣＰ）の流れの中に吐出させることにより樹脂（ｂ１）の溶剤溶液粒子（Ｂ１’）を形成させて、さらに溶剤を除去することにより樹脂（ｂ１）からなる樹脂粒子（Ｂ１）の分散液を得ることを特徴とする樹脂粒子の製造方法。【選択図】  なし【特許請求の範囲】
【請求項１】
連続相（ＣＰ）が流される第１の流路（Ｐ１）と、一端部が前記第１の流路（Ｐ１）内に存在し分散相（ＤＰ）が流される第２の微細流路（Ｐ２）とを用いて粒子を製造するための方法であって、分散相（ＤＰ）が樹脂（ｂ１）の溶剤溶液であり、分散相（ＤＰ）を連続相（ＣＰ）の流れの中に吐出させることにより樹脂（ｂ１）の溶剤溶液粒子（Ｂ１’）を形成させて、さらに溶剤を除去することにより樹脂（ｂ１）からなる樹脂粒子（Ｂ１）の分散液を得ることを特徴とする樹脂粒子の製造方法。
【請求項２】
連続相（ＣＰ）が流される第１の流路（Ｐ１）と、一端部が前記第１の流路内に存在し分散相（ＤＰ）が流される第２の微細流路（Ｐ２）とを用いて粒子を製造するための方法であって、分散相（ＤＰ）が樹脂（ｂ２）の前駆体（ｂ２０）若しくはその溶剤溶液（ｂ２０’）であり、分散相（ＤＰ）を連続相（ＣＰ）の流れの中に吐出させることにより、前駆体（ｂ２０）からなる粒子（Ｂ２０）若しくは前駆体（ｂ２０）の溶剤溶液（ｂ２０’）からなる粒子（Ｂ２０’）を形成させて、さらに前駆体（ｂ２０）を重合反応させて、粒子（Ｂ２０’）の場合はさらに溶剤を除去することにより樹脂（ｂ２）からなる樹脂粒子（Ｂ２）の分散液を得ることを特徴とする樹脂粒子の製造方法。
【請求項３】
樹脂粒子（Ｂ１）の分散液、又は樹脂粒子（Ｂ２）の分散液から媒体を除去し、樹脂粒子（Ｃ）を得ることを特徴とする請求項１又は２に記載の樹脂粒子の製造方法。
【請求項４】
連続相（ＣＰ）が水性媒体（Ａ１）、又は樹脂（ｂ１）若しくは樹脂（ｂ２）が難溶解性である有機溶剤（Ａ２）である請求項１〜３いずれか１項に記載の樹脂粒子の製造方法。
【請求項５】
樹脂（ｂ２）が、ポリウレタン樹脂、エポキシ樹脂、ポリアミド樹脂およびポリエステル樹脂からなる群から選ばれる少なくとも１つの樹脂である請求項２〜４いずれか１項に記載の樹脂粒子の製造方法。
【請求項６】
前駆体（ｂ２０）が、イソシアネート基、ブロック化イソシアネート基及びエポキシ基からなる群から選ばれる少なくとも１つの反応性基を有する請求項２〜５いずれか１項に記載の樹脂粒子の製造方法。
【請求項７】
硬化剤（ｃ）が、活性水素基含有化合物又は活性水素基含有化合物をブロック化した化合物である請求項２〜６いずれか１項に記載の樹脂粒子の製造方法。
【請求項８】
連続相（ＣＰ）がさらに分散剤を含有するものである請求項１〜７いずれか１項に記載の樹脂粒子の製造方法。
【請求項９】
（樹脂粒子の体積平均粒径／樹脂粒子の個数平均粒径）が２以下である請求項１〜８いずれか１項に記載の樹脂粒子の製造方法。
【発明の詳細な説明】
【技術分野】
【０００１】
本発明は粒径が均一である樹脂粒子の製造方法、さらに詳しくは、微細流路を用いる該樹脂粒子の製造方法に関するものである。
【背景技術】
【０００２】
従来より、あらかじめ溶剤に樹脂を溶解させた樹脂溶液を、有機微粒子、界面活性剤、水溶性ポリマー等の分散（助）剤存在下で水性媒体中に分散させ、これを加熱または減圧等によって溶剤を除去し、樹脂粒子を得る方法が知られている（例えば、特許文献１参照）。
この方法によれば、粒子径が微細かつ粒度分布がシャープな粒子を得ることが可能である。しかしながらこの方法では、樹脂の種類や分子量によって、シャープな粒度分布を有する粒子が得られない場合があった。
一方、樹脂を含む分散相を微細流路に流し、連続相に吐出させ分散することにより樹脂粒子を得る方法が知られている（例えば、特許文献２参照）。この方法によれば、均一な粒子径を有する樹脂粒子を得ることができるが、樹脂の種類や分子量によって、分散後に樹脂粒子同士が合一し、シャープな粒度分布が得られない場合があった。
【特許文献１】特開２００２−２８４８８１号公報
【特許文献２】特開２００４−２５５３６７号公報
【発明の開示】
【発明が解決しようとする課題】
【０００３】
本発明の課題は、樹脂の種類や分子量にかかわらず、分散後に樹脂粒子同士が合一することがなく、粒度分布がシャープな樹脂粒子を得ることである。
【課題を解決するための手段】
【０００４】
本発明者らは、これらの問題点を解決するべく鋭意検討した結果、本発明に到達した。
即ち本発明は、第１の発明；
連続相（ＣＰ）が流される第１の流路と、一端部が前記第１の流路内に存在し分散相（ＤＰ）が流される第２の微細流路とを用いて粒子を製造するための方法であって、分散相（ＤＰ）が樹脂（ｂ１）の溶剤溶液であり、分散相（ＤＰ）を連続相（ＣＰ）の流れの中に吐出させることにより樹脂（ｂ１）の溶剤溶液粒子（Ｂ１’）を形成させて、さらに溶剤を除去することにより樹脂（ｂ１）からなる樹脂粒子（Ｂ１）の分散液を得ることを特徴とする樹脂粒子の製造方法であり、
第２の発明；
連続相（ＣＰ）が流される第１の流路（Ｐ１）と、一端部が前記第１の流路内に存在し分散相（ＤＰ）が流される第２の微細流路（Ｐ２）とを用いて粒子を製造するための方法であって、分散相（ＤＰ）が樹脂（ｂ２）の前駆体（ｂ２０）若しくはその溶剤溶液（ｂ２０’）であり、分散相（ＤＰ）を連続相（ＣＰ）の流れの中に吐出させることにより、前駆体（ｂ２０）からなる粒子（Ｂ２０）若しくは前駆体（ｂ２０）の溶剤溶液（ｂ２０’）からなる粒子（Ｂ２０’）を形成させて、さらに前駆体（ｂ２０）を重合反応させて、粒子（Ｂ２０’）の場合はさらに溶剤を除去することにより樹脂（ｂ２）からなる樹脂粒子（Ｂ２）の分散液を得ることを特徴とする樹脂粒子の製造方法である。
【発明の効果】
【０００５】
本発明の製造方法で得られる樹脂粒子は、粒度分布がシャープな樹脂粒子である。このため、粉体特性に優れた樹脂粒子が得られる。
【発明を実施するための最良の形態】
【０００６】
まず、第１の発明である樹脂粒子の製造方法について説明する。なお、一部、第２の発明である樹脂粒子の製造方法についても同時に言及することがある。
【０００７】
＜連続相（ＣＰ）＞
連続相（ＣＰ）としては水性液、有機溶媒が挙げられる。該有機溶媒は樹脂（ｂ１）及び樹脂（ｂ２）が難溶解性であるものが好ましい。
水性液としては水、水と水溶性有機溶剤の混合溶液(有機溶剤の比率は３０重量％以下が好ましい。）が挙げられる。水溶性有機溶剤としては、メタノール、エタノール、イソプロピルアルコール、ジメチルフォルムアミド（ＤＭＦ）、テトラヒドロフラン（ＴＨＦ）、アセトン等が挙げられる。                                                      
【０００８】
有機溶媒としては、トルエン、キシレン、エチルベンゼン、テトラリン等の芳香族炭化水素系溶剤；ｎ−ヘキサン、ｎ−ヘプタン、ミネラルスピリット、シクロヘキサン等のの脂肪族または脂環式炭化水素系溶剤；塩化メチル、臭化メチル、ヨウ化メチル、メチレンジクロライド、四塩化炭素、トリクロロエチレン、パークロロエチレンなどのハロゲン系溶剤；酢酸エチル、酢酸ブチル、プロピオン酸メチル、プロピオン酸エチル、メトキシブチルアセテート、メチルセロソルブアセテート、エチルセロソルブアセテートなどのエステル系またはエステルエーテル系溶剤；ジエチルエーテル、テトラヒドロフラン、ジオキサン、エチルセロソルブ、ブチルセロソルブ、プロピレングリコールモノメチルエーテルなどのエーテル系溶剤；アセトン、メチルエチルケトン、メチルイソブチルケトン、ジ−ｎ−ブチルケトン、シクロヘキサノンなどのケトン系溶剤；メタノール、エタノール、ｎ−プロパノール、イソプロパノール、ｎ−ブタノール、イソブタノール、ｔ−ブタノール、２−エチルヘキシルアルコール、ベンジルアルコールなどのアルコール系溶剤；ジメチルホルムアミド、ジメチルアセトアミドなどのアミド系溶剤；ジメチルスルホキシドなどのスルホキシド系溶剤、Ｎ−メチルピロリドンなどの複素環式化合物系溶剤、ならびにこれらの２種以上の混合溶剤が挙げられる。これらのうちで、トルエン、ヘキサン、シクロヘキサンが好ましい。
有機溶媒の沸点は、溶剤除去性の観点から１０〜１５０℃が好ましく、さらに好ましくは３０〜１００℃、特に好ましくは４０〜９０℃である。
【０００９】
＜分散相（ＤＰ）＞
分散相（ＤＰ）は樹脂（ｂ１）の溶剤溶液である。溶剤（ＤＰ０）としては、上記連続相（ＣＰ）として例示される有機溶媒、水性液を使用することができる。
樹脂（ｂ１）は溶剤溶液の重量に対して、好ましくは２０〜８０重量％、さらに好ましくは４０〜６０重量％含有される。
【００１０】
連続相（ＣＰ）と溶剤（ＤＰ０）の組み合わせとしては、（ＣＰ）に水性液を用いる場合は（ＤＰ０）は有機溶媒が好ましく、また（ＣＰ）に有機溶媒を用いる場合は（ＤＰ０）は水性液が好ましい。
【００１１】
分散相（ＤＰ）の溶剤（ＤＰ０）及び連続相（ＣＰ）の溶解度パラメータの差の好ましい範囲は５〜１７、さらに好ましくは８〜１７である。
【００１２】
本発明の樹脂（ｂ１）としては、連続相中に溶解せず、分散しうる樹脂であればいかなる樹脂であっても使用でき、熱可塑性樹脂であっても熱硬化性樹脂であっても良い。
例えばビニル系樹脂、ポリウレタン樹脂、エポキシ樹脂、ポリエステル樹脂、ポリアミド樹脂、ポリイミド樹脂、ケイ素系樹脂、フェノール樹脂、メラミン樹脂、ユリア樹脂、アニリン樹脂、アイオノマー樹脂、ポリカーボネート樹脂等が挙げられる。樹脂（ｂ１）としては、上記樹脂の２種以上を併用しても差し支えない。このうち好ましいのは、微細球状樹脂粒子 の分散体が得られやすいという観点からビニル系樹脂、ポリウレタン樹脂、エポキシ樹脂、ポリエステル樹脂およびそれらの併用である。
【００１３】
樹脂（ｂ１）のＭｎ、融点、Ｔｇ、ＳＰ値は、用途によって好ましい範囲に適宜調整すればよい。例えば、樹脂粒子 （Ｃ）をスラッシュ成形用樹脂、粉体塗料として用いる場合、（ｂ１）のＭｎは、通常２，０００〜５０万、好ましくは４，０００〜２０万である。（ｂ１）の融点（ＤＳＣにて測定、以下融点はＤＳＣでの測定値）、通常０℃〜２００℃、好ましくは、３５℃〜１５０℃である。（ｂ１）のＴｇは通常−６０℃〜１００℃、好ましくは、−３０℃〜６０℃である。（ｂ１）のＳＰ値は、通常７〜１８、好ましくは８〜１４である。液晶ディスプレイ等の電子部品製造用スペーサー、電子測定機の標準粒子として用いる場合、（ｂ１）のＭｎは、通常２万〜１，０００万、好ましくは４万〜２００万である。（ｂ１）の融点（ＤＳＣにて測定、以下融点はＤＳＣでの測定値）、通常４０℃〜３００℃、好ましくは、７０℃〜２５０℃である。（ｂ１）のＴｇは通常−０℃〜２５０℃、好ましくは、５０℃〜２００℃である。（ｂ１）のＳＰ値は、通常８〜１８、好ましくは９〜１４である。電子写真、静電記録、静電印刷などに使用されるトナーとして用いる場合、（ｂ１）のＭｎは、通常１，０００〜５００万、好ましくは２，０００〜５０万である。（ｂ１）の融点（ＤＳＣにて測定、以下融点はＤＳＣでの測定値）、通常２０℃〜３００℃、好ましくは、８０℃〜２５０℃である。（ｂ１）のＴｇは通常２０℃〜２００℃、好ましくは、４０℃〜２００℃である。（ｂ１）のＳＰ値は、通常８〜１６、好ましくは９〜１４である。
【００１４】
本発明の樹脂粒子中に他の添加物（顔料、充填剤、帯電防止剤、着色剤、離型剤、荷電制御剤、紫外線吸収剤、酸化防止剤、ブロッキング防止剤、耐熱安定剤、難燃剤など）を混合しても差し支えない。添加の方法として以下の態様が挙げられる。
（１）樹脂（ｂ１）中に混合する。
（２）分散相（ＤＰ）の溶剤（ＤＰ０）中に混合する。
（３）連続相（ＣＰ）中に混合する。
（４） 連続相中で粒子を形成させる時に混合しておく必要はなく、粒子を形成せしめた後、添加してもよい。たとえば、着色剤を含まない粒子を形成させた後、公知の染着の方法で着色剤を添加したり、溶剤および／または可塑剤とともに上記添加物を含浸させることもできる。
上記の内で（１）、（２）が好ましい。
【００１５】
＜流路、微細流路の説明＞
第一の発明において、第１の流路（Ｐ１）及び第２の微細流路（Ｐ２）を構成する装置の構造としては、特に限定されないが、例えば連続相の流路（Ｐ１）となる中空管内部に、さらに分散相の微細流路（Ｐ２）となる中空管を配置した構造が挙げられる。この場合、（Ｐ１）内部の（Ｐ２）が同軸に配置されたもの（断面図を図１に示す。以下同じ。図１［Ａ］）、あるいはそれを二つ以上並列させたもの（図１［Ｂ］）であってもよく、また（Ｐ１）内部に（Ｐ２）が複数配置されたもの（図１［Ｃ］）、あるいはそれを二つ以上並列させたもの（図１［Ｄ］）であってもよい。また（Ｐ１）内部の同軸上にＮ個の微細流路（Ｐ２Ｎ）を配置したもの（図１［Ｅ]）、あるいはそれを、二つ以上並列させたもの（図１［Ｆ］）であってもよい。この場合、Ｎ個の分散相成分を流動させ、Ｎ個の成分からなる樹脂粒子（Ｃ）の分散液を得ることができる。Ｎは正の整数である。
【００１６】
連続相及び分散相の流動方向は特に限定されないが、並流（同流動方向）が好ましい。
ここで、流動方向とは、微細流路（Ｐ２）から分散相（ＤＰ）が吐出した瞬間における連続相及び分散相の流動方向の相互関係を言うものとする。
【００１７】
微細流路（Ｐ２）の種類は特に限定されないが、後述の樹脂（ｂ２）の前駆体（ｂ２０）や連続相（ＣＰ）、分散相の溶媒（ＤＰ０）等に溶解したり、膨潤しないものが好ましく、例えばグラスファイバー、プラスチック・クラッド・シリカファイバー、プラスチックファイバー等が挙げられる。微細流路（Ｐ２）の内表面は、分散相との親和性が良好であることが好ましい。微細流路（Ｐ２）の内径は、樹脂粒子（Ｃ）の目的粒径に応じ適宜設定することが好ましく、好ましくは目的粒子径の０．２〜１０倍、さらに好ましくは０．５〜５倍である。
微細流路（Ｐ２）の内径は好ましくは１〜３０００μｍ、さらに好ましくは１０〜１０００μｍである。
流路（Ｐ１）の材質は特に限定されないが、（ＣＰ）、（ＤＰ０）等に溶解したり、膨潤しないものが好ましい。流路（Ｐ１）の内径は、（Ｐ２）の内径より大きければ特に限定されないが、（Ｐ２）の内径の２倍以上が好ましい。
【００１８】
＜樹脂粒子（Ｃ）の形成方法＞
【００１９】
樹脂粒子（Ｃ）は以下のようにして得られる。分散相（ＤＰ）を連続相（ＣＰ）の流れの中に吐出させることにより樹脂（ｂ１）の溶剤溶液粒子（Ｂ１’）を形成させて、さらに溶剤を除去することにより樹脂（ｂ１）からなる樹脂粒子（Ｂ１）の分散液を得る。樹脂粒子（Ｂ１）の分散液から媒体を除去し、樹脂粒子（Ｃ）を得る
樹脂粒子（Ｃ）の体積平均粒径は、工業的な利用価値の観点から好ましくは０．１〜１０００μｍ、さらに好ましくは１〜５００μｍ、特に好ましくは１０〜３５０μｍである。
なお、体積平均粒径は、レーザー式粒度分布測定装置ＬＡ−９２０（堀場製作所製）やマルチタイザーＩＩＩ（コールター社製）で測定できる。
【００２０】
分散相（ＤＰ）と連続相（ＣＰ）の体積流量比は、好ましくは１：９９〜７０：３０、より好ましくは１０：９０〜６０：４０、さらに好ましくは２０：８０〜５０：５０である。（ＤＰ）と（ＣＰ）の体積流量比がこの範囲であると、廃液の発生も少なく、樹脂粒子（Ｃ）の生産性も高くなる。（ＤＰ）及び（ＣＰ）の流量及び流量比は、樹脂粒子（Ｃ）の目的粒径に応じて、粒度分布が悪化しない範囲で適宜制御することが好ましい。
【００２１】
連続相（ＣＰ）は、界面活性剤（Ｓ）、高分子活性剤（Ｔ）、溶剤（Ｕ）、可塑剤（Ｖ）等を含んでもよい。（ＣＰ）の粘度は粒径均一性の観点から１〜１，０００ｍＰａ・ｓ（Ｂ型粘度計による測定値、測定温度２５℃）が好ましく、さらに好ましくは５〜５００ｍＰａ・ｓである。分散相（ＤＰ）の粘度は粒径均一性の観点から１〜５０００ｍＰａ・ｓ（Ｂ型粘度計による測定値、測定温度２５℃）が好ましく、さらに好ましくは１０〜１０００ｍＰａ・ｓである。（ＤＰ）の粘度が高い場合は、溶剤（Ｕ）、可塑剤（Ｖ）と混合したり、高温にして粘度を上記好ましい範囲まで低下させることが好ましい。連続相（ＣＰ）と分散相（ＤＰ）の粘度比は、樹脂粒子（Ｃ）の目的粒径に応じて適宜設定することが好ましい。
【００２２】
界面活性剤（Ｓ）としては、アニオン界面活性剤（Ｓ−１）、カチオン界面活性剤（Ｓ−２）、両性界面活性剤（Ｓ−３）、非イオン界面活性剤（Ｓ−４）などが挙げられる。界面活性剤（Ｓ）は２種以上の界面活性剤を併用したものであってもよい。
【００２３】
高分子活性剤（Ｔ）としては、セルロース系化合物（例えば、メチルセルロース、エチルセルロース、ヒドロキシエチルセルロース、エチルヒドロキシエチルセルロース、カルボキシメチルセルロース、ヒドロキシプロピルセルロースおよびそれらのケン化物など）、ゼラチン、デンプン、デキストリン、アラビアゴム、キチン、キトサン、ポリビニルアルコール、ポリビニルピロリドン、ポリエチレングリコール、ポリエチレンイミン、ポリアクリルアミド、アクリル酸（塩）含有ポリマー（ポリアクリル酸ナトリウム、ポリアクリル酸カリウム、ポリアクリル酸アンモニウム、ポリアクリル酸の水酸化ナトリウム部分中和物、アクリル酸ナトリウム−アクリル酸エステル共重合体）、スチレン−無水マレイン酸共重合体の水酸化ナトリウム（部分）中和物、水溶性ポリウレタン（ポリエチレングリコール、ポリカプロラクトンジオール等とポリイソシアネートの反応生成物等）などが挙げられる。
【００２４】
可塑剤（Ｖ）は、乳化分散の際に必要に応じて連続相（ＣＰ）中に加えても、分散相（ＤＰ）中に加えても良い。可塑剤（Ｖ）としては、何ら限定されず、以下のものが例示される。
（Ｖ１）フタル酸エステル［フタル酸ジブチル、フタル酸ジオクチル、フタル酸ブチルベンジル、フタル酸ジイソデシル等］；
（Ｖ２）脂肪族２塩基酸エステル［アジピン酸ジ−２−エチルヘキシル、セバシン酸−２−エチルヘキシル等］；
（Ｖ３）トリメリット酸エステル［トリメリット酸トリ−２−エチルヘキシル、トリメリット酸トリオクチル等］；
（Ｖ４）燐酸エステル［リン酸トリエチル、リン酸トリ−２−エチルヘキシル、リン酸トリクレジール等］；
（Ｖ５）脂肪酸エステル［オレイン酸ブチル等］；
（Ｖ６）およびこれらの２種以上の混合物が挙げられる。
【００２５】
溶剤（Ｕ）としては、連続相（ＣＰ）として使用される上述の有機溶媒が挙げられる。
【００２６】
分散相（ＤＰ）の温度の好ましい範囲は５〜９８℃、さらに好ましくは１０〜６０℃である。一般的に、分散相（ＤＰ）の粘度が高い場合は、粘度を下げるために温度を高く設定することが望ましい。
連続相（ＣＰ）の温度の好ましい範囲は５〜９８℃、さらに好ましくは１０〜６０℃である。
分散相（ＤＰ）の温度と連続相（ＣＰ）の温度の差は特に限定されないが、小さい方が好ましい。
【００２７】
（ＣＰ）及び（ＤＰ）の流動状態は層流であることが好ましく、好ましいレイノルズ数（Ｒｅ）の範囲としては１〜２３００、さらに好ましくは１０〜２０００である。樹脂粒子（Ｃ）は、分散相（ＤＰ）と連続相（ＣＰ）との間に作用する界面張力、（ＣＰ）の粘性力、（ＤＰ）の慣性力のバランスから、分散相（ＤＰ）が分裂することにより生成する。
【００２８】
溶剤溶液粒子（Ｂ１’）から溶剤を除去する脱溶剤の方法は特に限定されず、公知の方法を用いることができ、例えばエバポレーター等により減圧脱溶剤する方法等が挙げられる。昇温により脱溶剤する場合は、樹脂粒子（Ｂ１）同士が合一しないように適宜温度を設定することが好ましい。
【００２９】
＜媒体の除去方法＞
樹脂粒子（Ｂ１）の分散液から媒体を除去する方法としては、（ＷＡ１）：樹脂粒子（Ｂ１）の分散液を減圧下または常圧下で乾燥する方法、（ＷＡ２）：遠心分離器、スパクラフィルター、フィルタープレスなどにより固液分離し、得られた粉末を乾燥する方法、（ＷＡ３）：樹脂粒子（Ｂ１）の分散液を凍結させて乾燥させる方法（いわゆる凍結乾燥）等が例示される。樹脂粒子（Ｂ１）の分散液中に樹脂粒子（Ｂ１）を溶解あるいは膨潤させ得る溶剤を含む場合、まず（ＷＡ１）の方法で溶剤をほぼ完全に除去した後に、（ＷＡ１）〜（ＷＡ３）のいずれかの方法により、媒体を除去することが好ましい。樹脂粒子（Ｂ１）に、界面活性剤等の不純物を残留させたくない場合は、上記（ＷＡ２）で得たスラリーを再度、不純物を含有しない媒体に分散し、再度（ＷＡ２）を行う操作を繰り返すことにより、不純物を洗浄することが好ましい。上記（ＷＡ１）、（ＷＡ２）において、得られた粉末を乾燥する際、流動層式乾燥機、減圧乾燥機、循風乾燥機など公知の設備を用いて行うことができる。また、必要に応じ、風力分級器などを用いて分級し、所定の粒度分布とすることもできる。乾燥時の温度は、樹脂粒子（Ｂ１）同士が合一しないように適宜設定することが好ましい。具体的には樹脂粒子（Ｂ１）のガラス転移温度より１０〜２０℃低い温度に設定することが好ましい。
【００３０】
次に、第２の発明である樹脂粒子の製造方法について説明する。
第２の発明では、第１の発明の樹脂（ｂ１）の溶剤溶液の代わりに、樹脂（ｂ２）の前駆体（ｂ２０）又はその溶剤溶液を用いる点、前駆体（ｂ２０）の溶剤溶液（ｂ２０’）からなる粒子（Ｂ２０’）を形成させて（ｂ２０）を重合反応させる点以外は、第１の発明と同様の操作を用いることができる。
【００３１】
＜前駆体（ｂ２０）の説明＞
樹脂（ｂ２）の前駆体（ｂ２０）としては、化学反応により樹脂（ｂ２）になりうるものであれば特に限定されず、例えば、樹脂（ｂ２）がビニル系樹脂である場合は、（ｂ２０）は、先述のビニル系モノマー（単独で用いても、混合して用いてもよい）およびそれらの溶剤溶液が挙げられ、樹脂（ｂ２）が縮合系樹脂（例えば、ポリウレタン樹脂、エポキシ樹脂、ポリエステル樹脂）である場合は、（ｂ２０）は、反応性基を有するプレポリマー（α）と硬化剤（β）の組み合わせが例示される。
【００３２】
ビニル系モノマーを前駆体（ｂ２０）として用いる場合、重合開始剤や連鎖移動剤を含んでもよい。
【００３３】
上記、重合開始剤としては、パーオキサイド系重合開始剤（Ｉ）、アゾ系重合開始剤（ＩＩ）等が挙げられる。また、パーオキサイド系重合開始剤（Ｉ）と還元剤とを併用してレドックス系重合開始剤（ＩＩＩ）を形成してもよい。更には、（Ｉ）〜（ＩＩＩ）のうちから２種以上を併用してもよい。
【００３４】
（Ｉ）パーオキサイド系重合開始剤としては、（Ｉ−１）油溶性パーオキサイド系重合開始剤：アセチルシクロヘキシルスルホニルパーオキサイド、イソブチリルパーオキサイド、ジイソプロピルパーオキシジカーボネート、ジ−２−エチルヘキシルパーオキシジカーボネート、２，４−ジクロロベンゾイルパーオキサイド、ｔ−ブチルパーオキシビバレート、３，５，５−トリメチルヘキサノニルパーオキサイド、オクタノイルパーオキサイド、デカノイルパーオキサイド、ラウロイルパーオキサイド、ステアロイルパーオキサイド、プロピオニトリルパーオキサイド、サクシニックアシッドパーオキサイド、アセチルパーオキサイド、ｔ−ブチルパーオキシ−２−エチルヘキサノエート、ベンゾイルパーオキサイド、パラクロロベンゾイルパーオキサイド、ｔ−ブチルパーオキシイソブチレート、ｔ−ブチルパーオキシマレイックアシッド、ｔ−ブチルパーオキシラウレート、シクロヘキサノンパーオキサイド、ｔ−ブチルパーオキシイソプロピルカーボネート、２，５−ジメチル−２，５−ジベンゾイルパーオキシヘキサン、ｔ−ブチルパーオキシアセテート、ｔ−ブチルパーオキシベンゾエート、ジイソブチルジパーオキシフタレート、メチルエチルケトンパーオキサイド、ジクミルパーオキサイド、２，５−ジメチル−２，５−ジｔ−ブチルパーオキシヘキサン、ｔ−ブチルクミルパーオキサイド、ｔ−ブチルヒドロパーオキサイド、ジｔ−ブチルパーオキサイド、ジイソプロピルベンゼンヒドロパーオキサイド、パラメンタンヒドロパーオキサイド、ピナンヒドロパーオキサイド、２，５−ジメチルヘキサン−２，５−ジヒドロパーオキサイド、クメンパーオキサイド等（Ｉ−２）水溶性パーオキサイド系重合開始剤：過酸化水素、過酢酸、過硫酸アンモニウム、過硫酸ナトリウム等。
【００３５】
（ＩＩ）アゾ系重合開始剤：（ＩＩ−１）油溶性アゾ系重合開始剤：２，２’−アゾビスイソブチロニトリル、１，１’−アゾビスシクロヘキサン１−カーボニトリル、２，２’−アゾビス−４−メトキシ−２，４−ジメチルバレロニトリル、２，２’−アゾビス−２，４−ジメチルバレロニトリル、ジメチル−２，２’−アゾビス（２−メチルプロピオネート）、１，１’−アゾビス（１−アセトキシ−１−フェニルエタン）、２，２’−アゾビス（４−メトキシ−２，４−ジメチルバレロニトリル）等（ＩＩ−２）水溶性アゾ系重合開始剤：アゾビスアミジノプロパン塩、アゾビスシアノバレリックアシッド（塩）、２，２’−アゾビス［２−メチル−Ｎ−（２−ヒドロキシエチル）プロピオンアミド］等。
【００３６】
（ＩＩＩ）レドックス系重合開始剤（ＩＩＩ−１）非水系レドックス系重合開始剤：ヒドロペルオキシド、過酸化ジアルキル、過酸化ジアシル等の油溶性過酸化物と、第三アミン、ナフテン酸塩、メルカプタン類、有機金属化合物（トリエチルアルミニウム、トリエチルホウ素、ジエチル亜鉛等）等の油溶性還元剤とを併用（ＩＩＩ−２）水系レドックス系重合開始剤：過硫酸塩、過酸化水素、ヒドロペルオキシド等の水溶性過酸化物と、水溶性の無機もしくは有機還元剤（２価鉄塩、亜硫酸水素ナトリウム、アルコール、ポリアミン等）とを併用等が挙げられる。
【００３７】
前駆体（ｂ２０）としては、反応性基を有するプレポリマー（α）と硬化剤（β）の組み合わせを用いることもできる。ここで「反応性基」とは硬化剤（β）と反応可能な基のことをいう。
この場合、前駆体（ｂ２０）を反応させて樹脂（ｂ２）を形成する方法としては、反応性基含有プレポリマー（α）および硬化剤（β）及び必要により溶剤（ＤＰ０）を含む分散相（ＤＰ）を、連続相（ＣＰ）中に分散させ、必要により加熱により反応性基含有プレポリマー（α）と硬化剤（β）を反応させて樹脂（ｂ２）からなる樹脂粒子 （Ｂ２）を形成させる方法；反応性基含有プレポリマー（α）又はその溶剤溶液を連続相（ＣＰ）中に分散させ、ここに硬化剤（β）を加え反応させて、樹脂（ｂ２）からなる樹脂粒子 （Ｂ２）を形成させる方法；反応性基含有プレポリマー（α）が水と反応して硬化するものである場合は、反応性基含有プレポリマー（α）又はその溶剤溶液を連続相（ＣＰ）が水性液である場合には連続相に分散させることで水と反応させて、（ｂ２）からなる樹脂粒子 （Ｂ２）を形成させる方法等が例示できる。
【００３８】
反応性基含有プレポリマー（α）が有する反応性基と、硬化剤（β）の組み合わせとしては、下記（Ｋ１）、（Ｋ２）などが挙げられる。
（Ｋ１）：反応性基含有プレポリマー（α）が有する反応性基が、活性水素化合物と反応可能な官能基（α１）であり、硬化剤（β）が活性水素基含有化合物（β１）であるという組み合わせ。
（Ｋ２）：反応性基含有プレポリマー（α）が有する反応性基が活性水素含有基（α２）であり、硬化剤（β）が活性水素含有基と反応可能な化合物（β２）であるという組み合わせ。これらのうち、水中での反応率の観点から、（１）がより好ましい。
上記組合せ（Ｋ１）において、活性水素化合物と反応可能な官能基（α１）としては、イソシアネート基（α１ａ）、ブロック化イソシアネート基（α１ｂ）、エポキシ基（α１ｃ）、酸無水物基（α１ｄ）および酸ハライド基（α１ｅ）などが挙げられる。これらのうち好ましいものは、（α１ａ）、（α１ｂ）および（α１ｃ）であり、特に好ましいものは、（α１ａ）および（α１ｂ）である。ブロック化イソシアネート基（α１ｂ）は、ブロック化剤によりブロックされたイソシアネート基のことをいう。
上記ブロック化剤としては、オキシム類［アセトオキシム、メチルイソブチルケトオキシム、ジエチルケトオキシム、シクロペンタノンオキシム、シクロヘキサノンオキシム、メチルエチルケトオキシム等］；ラクタム類［γ−ブチロラクタム、ε−カプロラクタム、γ−バレロラクタム等］；炭素数１〜２０の脂肪族アルコール類［エタノール、メタノール、オクタノール等］；フェノール類［フェノール、ｍ−クレゾール、キシレノール、ノニルフェノール等］；活性メチレン化合物［アセチルアセトン、マロン酸エチル、アセト酢酸エチル等］；塩基性窒素含有化合物［Ｎ，Ｎ−ジエチルヒドロキシルアミン、２−ヒドロキシピリジン、ピリジンＮ−オキサイド、２−メルカプトピリジン等］；およびこれらの２種以上の混合物が挙げられる。これらのうち好ましいのはオキシム類であり、特に好ましいものはメチルエチルケトオキシムである。
【００３９】
反応性基含有プレポリマー（α）の骨格としては、ポリエーテル（αｗ）、ポリエステル（αｘ）、エポキシ樹脂（αｙ）およびポリウレタン（αｚ）などが挙げられる。これらのうち好ましいものは、（αｘ）、（αｙ）および（αｚ）であり、特に好ましいものは（αｘ）および（αｚ）である。ポリエーテル（αｗ）としては、ポリエチレンオキサイド、ポリプロピレンオキサイド、ポリブチレンオキサイド、ポリテトラメチレンオキサイドなどが挙げられる。ポリエステル（αｘ）としては、ジオール（１１）とジカルボン酸（１３）の重縮合物、ポリラクトン（ε−カプロラクトンの開環重合物）などが挙げらる。エポキシ樹脂（αｙ）としては、ビスフェノール類（ビスフェノールＡ、ビスフェノールＦ、ビスフェノールＳなど）とエピクロルヒドリンとの付加縮合物などが挙げられる。ポリウレタン（αｚ）としては、ジオール（１１）とポリイソシアネート（１５）の重付加物、ポリエステル（αｘ）とポリイソシアネート（１５）の重付加物などが挙げられる。
【００４０】
ポリエステル（αｘ）、エポキシ樹脂（αｙ）、ポリウレタン（αｚ）などに反応性基を含有させる方法としては、（ＡＡ１）：二以上の構成成分のうちの一つを過剰に用いることで構成成分の官能基を末端に残存させる方法、（ＡＡ２）：二以上の構成成分のうちの一つを過剰に用いることで構成成分の官能基を末端に残存させ、さらに残存した該官能基と反応可能な官能基及び反応性基を含有する化合物を反応させる方法などが挙げられる。
上記方法（ＡＡ１）では、水酸基含有ポリエステルプレポリマー、カルボキシル基含有ポリエステルプレポリマー、酸ハライド基含有ポリエステルプレポリマー、水酸基含有エポキシ樹脂プレポリマー、エポキシ基含有エポキシ樹脂プレポリマー、水酸基含有ポリウレタンプレポリマー、イソシアネート基含有ポリウレタンプレポリマーなどが得られる。構成成分の比率は、例えば、水酸基含有ポリエステルプレポリマーの場合、ポリオール（１）とポリカルボン酸（２）の比率が、水酸基[ＯＨ]とカルボキシル基[ＣＯＯＨ]のモル比[ＯＨ]／[ＣＯＯＨ]として、通常２／１〜１／１、好ましくは１．５／１〜１／１、さらに好ましくは１．３／１〜１．０２／１である。他の骨格、末端基のプレポリマーの場合も、構成成分が変わるだけで比率は同様である。
上記方法（ＡＡ２）では、上記方法（ＡＡ１）で得られたプレプリマーに、ポリイソシアネートを反応させることでイソシアネート基含有プレポリマーが得られ、ブロック化ポリイソシアネートを反応させることでブロック化イソシアネート基含有プレポリマーが得られ、ポリエポキサイドを反応させることでエポキシ基含有プレポリマーが得られ、ポリ酸無水物を反応させることで酸無水物基含有プレポリマーが得られる。官能基および反応性基を含有する化合物の使用量は、例えば、水酸基含有ポリエステルにポリイソシアネートを反応させてイソシアネート基含有ポリエステルプレポリマーを得る場合、ポリイソシアネートの比率が、イソシアネート基[ＮＣＯ]と、水酸基含有ポリエステルの水酸基[ＯＨ]のモル比[ＮＣＯ]／[ＯＨ]として、通常５／１〜１／１、好ましくは４／１〜１．２／１、さらに好ましくは２．５／１〜１．５／１である。他の骨格、末端基を有するプレポリマーの場合も、構成成分が変わるだけで比率は同様である。
【００４１】
反応性基含有プレポリマー（α）中の１分子当たりに含有する反応性基は、通常１個以上、好ましくは、平均１．５〜３個、さらに好ましくは、平均１．８〜２．５個である。上記範囲にすることで、硬化剤（β）と反応させて得られる硬化物の分子量が高くなる。反応性基含有プレポリマー（α）の数平均分子量は、通常５００〜３０，０００、好ましくは１，０００〜２０，０００、さらに好ましくは２，０００〜１０，０００である。反応性基含有プレポリマー（α）の重量平均分子量は、１，０００〜５０，０００、好ましくは２，０００〜４０，０００、さらに好ましくは４，０００〜２０，０００である。反応性基含有プレポリマー（α）の粘度は、１００℃において、通常２，０００ポイズ以下、好ましくは１，０００ポイズ以下である。２，０００ポイズ以下にすることで、少量の溶剤で粒度分布のシャープな樹脂粒子が得られる点で好ましい。
【００４２】
活性水素基含有化合物（β１）としては、脱離可能な化合物でブロック化されていてもよいポリアミン（β１ａ）、ポリオール（β１ｂ）、ポリメルカプタン（β１ｃ）および水（β１ｄ）などが挙げられる。これらのうち好ましいものは、（β１ａ）、（β１ｂ）および（β１ｄ）であり、さらに好ましいもは、（β１ａ）および（β１ｄ）であり、特に好ましいもは、ブロック化されたポリアミン類および（β１ｄ）である。（β１ａ）としては、ポリアミン（１６）と同様のものが例示される。（β１ａ）として好ましいものは、４，４’−ジアミノジフェニルメタン、キシリレンジアミン、イソホロンジアミン、エチレンジアミン、ジエチレントリアミン、トリエチレンテトラミンおよびそれらの混合物である。
【００４３】
（β１ａ）が脱離可能な化合物でブロック化されたポリアミンである場合の例としては、前記ポリアミン類と炭素数３〜８のケトン類（アセトン、メチルエチルケトン、メチルイソブチルケトンなど）から得られるケチミン化合物、炭素数２〜８のアルデヒド化合物（ホルムアルデヒド、アセトアルデヒド）から得られるアルジミン化合物、エナミン化合物、およびオキサゾリジン化合物などが挙げられる。
【００４４】
ポリオール（β１ｂ）としては、前記のジオール（１１）およびポリオール（１２）と同様のものが例示される。ジオール（１１）単独、またはジオール（１１）と少量のポリオール（１２）の混合物が好ましい。ポリメルカプタン（β１ｃ）としては、エチレンジチオール、１，４−ブタンジチオール、１，６−ヘキサンジチオールなどが挙げられる。
【００４５】
必要により活性水素基含有化合物（β１）と共に反応停止剤（βｓ）を用いることができる。反応停止剤を（β１）と一定の比率で併用することにより、樹脂（ｂ２）を所定の分子量に調整することが可能である。反応停止剤（βｓ）としては、モノアミン（ジエチルアミン、ジブチルアミン、ブチルアミン、ラウリルアミン、モノエタノールアミン、ジエタノールアミンなど）；モノアミンをブロックしたもの（ケチミン化合物など）；モノオール（メタノール、エタノール、イソプロパノール、ブタノール、フェノール；モノメルカプタン（ブチルメルカプタン、ラウリルメルカプタンなど）；モノイソシアネート（ラウリルイソシアネート、フェニルイソシアネートなど）；モノエポキサイド（ブチルグリシジルエーテルなど）などが挙げられる。
【００４６】
上記組合せ（ＡＡ２）における反応性基含有プレポリマー（α）が有する活性水素含有基（α２）としては、アミノ基（α２ａ）、水酸基（アルコール性水酸基およびフェノール性水酸基）（α２ｂ）、メルカプト基（α２ｃ）、カルボキシル基（α２ｄ）およびそれらが脱離可能な化合物でブロック化された有機基（α２ｅ）などが挙げられる。これらのうち好ましいものは、（α２ａ）、（α２ｂ）およびアミノ基が脱離可能な化合物でブロック化された有機基（α２ｅ）であり、特に好ましいものは、（α２ｂ）である。アミノ基が脱離可能な化合物でブロック化された有機基としては、前記（β１ａ）の場合と同様のものが例示できる。
【００４７】
活性水素含有基と反応可能な化合物（β２）としては、ポリイソシアネート（β２ａ）、ポリエポキシド（β２ｂ）、ポリカルボン酸（β２ｃ）、ポリ酸無水物（β２ｄ）およびポリ酸ハライド（β２ｅ）などが挙げられる。これらのうち好ましいものは、（β２ａ）および（β２ｂ）であり、さらに好ましいものは、（β２ａ）である。
【００４８】
ポリイソシアネート（β２ａ）としては、ポリイソシアネート（１５）と同様のものが例示され、好ましいものも同様である。ポリエポキシド（β２ｂ）としては、ポリエポキシド（１８）と同様のものが例示され、好ましいものも同様である。
【００４９】
ポリカルボン酸（β２ｃ）としては、ジカルボン酸（β２ｃ−１）および３価以上のポリカルボン酸（β２ｃ−２）が挙げられ、（β２ｃ−１）単独、および（β２ｃ−１）と少量の（β２ｃ−２）の混合物が好ましい。ジカルボン酸（β２ｃ−１）としては、前記ジカルボン酸（１３）と、ポリカルボン酸としては、前記ポリカルボン酸（５）と同様のものが例示され、好ましいものも同様である。
【００５０】
ポリカルボン酸無水物（β２ｄ）としては、ピロメリット酸無水物などが挙げられる。ポリ酸ハライド類（β２ｅ）としては、前記（β２ｃ）の酸ハライド（酸クロライド、酸ブロマイド、酸アイオダイド）などが挙げられる。さらに、必要により（β２）と共に反応停止剤（βｓ）を用いることができる。
【００５１】
硬化剤（β）の比率は、反応性基含有プレポリマー（α）中の反応性基の当量[α]と、硬化剤（β）中の活性水素含有基[β]の当量の比[α]／[β]として、通常１／２〜２／１、好ましくは１．５／１〜１／１．５、さらに好ましくは１．２／１〜１／１．２である。なお、硬化剤（β）が水（β1ｄ）である場合は水は２価の活性水素化合物として取り扱う。
【００５２】
反応性基含有プレポリマー（α）と硬化剤（β）からなる前駆体（ｂ２０）を反応させた樹脂（ｂ２）が樹脂粒子 （Ｂ２）の構成成分となる。反応性基含有プレポリマー（α）と硬化剤（β）を反応させた樹脂（ｂ２）の重量平均分子量は、通常３，０００以上、好ましくは３，０００〜１０００万、さらに好ましくは，５０００〜１００万である。
【００５３】
また、反応性基含有プレポリマー（α）と硬化剤（β）との反応時に、反応性基含有プレポリマー（α）および硬化剤（β）と反応しないポリマー［いわゆるデッドポリマー］を系内に含有させることもできる。この場合（ｂ２）は、反応性基含有プレポリマー（α）と硬化剤（β）を反応させて得られた樹脂と、反応させていない樹脂の混合物となる。
【００５４】
伸長および／または架橋反応時間は、プレポリマー（α）の有する反応性基の構造と硬化剤（β）の組み合わせによる反応性により選択されるが、通常１０分〜４０時間、好ましくは３０分〜２４時間である。反応温度は、通常、０〜１５０℃、好ましくは５０〜１２０℃である。また、必要に応じて公知の触媒を使用することができる。具体的には、例えばイソシアネートと活性水素化合物の反応の場合には、ジブチルチンラウレート、ジオクチルチンラウレートなどが挙げられる。
【００５５】
樹脂粒子（Ｂ１）の分散液、又は樹脂粒子（Ｂ２）の分散液から媒体を除去し、樹脂粒子（Ｃ）を得ることができる。
樹脂粒子 （Ｃ）の粒径均一性は、樹脂粒子 （Ｃ）の体積基準の粒度分布の変動係数、及び樹脂粒子 （Ｃ）の体積平均粒径／樹脂粒子 （Ｃ）の個数平均粒径の値で評価することが出来る。
粒径均一性の観点から、樹脂粒子 （Ｃ）の体積基準の粒度分布の変動係数は、０．１〜１０％が好ましく、０．１〜９％がさらに好ましく、０．１〜８％が特に好ましい。また、樹脂粒子 （Ｃ）の体積平均粒径／樹脂粒子 （Ｃ）の個数平均粒径の値は、２．０以下であるのが好ましく、１．０〜１．９であるのが更に好ましく、１．０〜１．８であるのが特に好ましい。なお、体積平均粒径および個数平均粒径は、マルチタイザーＩＩＩ（コールター社製）で同時に測定することができる。
【００５６】
樹脂粒子（Ｃ）の形状は、粉体流動性、溶融レベリング性等の観点から球状であるのが好ましい。その場合、樹脂粒子（Ｂ１）および樹脂粒子（Ｂ２）も球状であるのが好ましい。（Ｃ）はＷａｄｅｌｌの実用球形度が０．８５〜１．００であるのが好ましい。なお、Ｗａｄｅｌｌ実用球形度は、粒子の投影面積に等しい面積を持つ円の直径と粒子の投影像に外接する最小面積の円との直径の比から求められる。粒子の投影像は、例えば走査電子顕微鏡（ＳＥＭ）によって撮影することができる。
【実施例】
【００５７】
以下実施例により本発明をさらに説明するが、本発明はこれに限定されるものではない。以下の記載において「部」は重量部、「％」は重量％を示す。
【００５８】
本発明に用いる［乳化装置］の概略図を図２に示す。本装置は連続相を流動させる流路（Ｐ１）中に、分散相を流動させる微細流路（Ｐ２）が複数配置した構造を有する（図１の中空管の構造中の図［Ｃ］に該当する）。（Ｐ２）は内径２００μｍのグラスファイバーであり、これは多数本束ねられ、（Ｐ１）内に収納され、その端部において接着剤で固定されている。分散相は分散相入口（Ｅ１）から（Ｐ２）へ供給される。（Ｐ１）の側面には、流れの上流側に連続相入口（Ｅ２）が設けられており、また下流には分散液出口（Ｅ３）が設けられている。
【００５９】
製造例１
撹拌棒および温度計をセットした反応容器に、ポリカプロラクトンジオール（分子量２，０００）７８７部、ポリエーテルジオール（分子量４，０００、ＥＯ含量５０重量％、ＰＯ含量５０重量％）８００部を仕込み、１２０℃で減圧脱水した。脱水後の水分は０．０５％であった。次いでＨＤＩ５５．５部、水添ＭＤＩ６５．５部およびジブチル錫ジラウレート０．６部を添加し８０℃で５時間反応を行った。得られた生成物を［水溶性高分子Ｔ１］とする。［水溶性高分子Ｔ１］１部および水１０７部を混合攪拌し、乳白色の液体を得た。これを［分散液１］とする。
【００６０】
製造例２
水７８４部、ドデシルジフェニルエーテルジスルホン酸ナトリウムの４８．５％水溶液（「エレミノールＭＯＮ−７」、三洋化成工業製）８０部を混合攪拌し、乳白色の液体を得た。これを［分散液２］とする。
【００６１】
製造例３
撹拌棒および温度計をセットした反応容器に、ヒドロキシル価が５６のポリカプロラクトンジオール［「プラクセルＬ２２０ＡＬ」、ダイセル化学工業（株）製］２，０００部を投入し３ｍｍＨｇの減圧下で１１０℃に加熱して１時間脱水を行った。続いてＩＰＤＩを４５７部を投入し、１１０℃で１０時間反応を行い末端にイソシアネート基を有するウレタンプレポリマーを得た。該ウレタンプレポリマーの遊離イソシアネート含量は３．６％であった。これを［プレポリマー１］とする。
【００６２】
製造例４
撹拌棒および温度計をセットした反応容器に、エチレンジアミン５０部とＭＩＢＫ５０部を仕込み、５０℃で５時間反応を行った。得られたケチミン化合物を［硬化剤１］とする。
【００６３】
製造例５
冷却管、撹拌機および窒素導入管の付いた反応容器中に、ビスフェノールＡエチレンオキサイド２モル付加物５７０部、テレフタル酸２１７部を入れ、常圧下、２３０℃で６時間重縮合し、数平均分子量２，４００、水酸基価５１、酸価５の変性されていない［ポリエステル（２）］を得た。
撹拌棒および温度計をセットした反応容器に、トルエン５０部、［ポリエステル（２）］５０部を仕込み、混合、均一化させ、［ポリエステル溶液１］を得た。
【００６４】
製造例６  ［ポリエステル（３）の合成］
攪拌装置及び脱水装置のついた反応容器に、ビスフェノールＡ・ＥＯ２モル付加物６８１部、ビスフェノールＡ・ＰＯ２モル付加物８１部、テレフタル酸２７５部、アジピン酸７部、無水トリメリット酸２２部、ジブチルチンオキサイド２部を投入し、常圧、２３０℃で５時間脱水反応を行った後、３ｍｍＨｇの減圧下で５時間脱水反応を行い、［ポリエステル３］を得た。［ポリエステル３］はＴｇ５４℃、数平均分子量２２００、重量平均分子量９５００、酸価０．８、水酸基価５３であった。
【００６５】
製造例９  ［プレポリマー２の合成］
オートクレーブに、製造例６で得られた［ポリエステル３］４０７部、イソホロンジイソシアネート１０８部、酢酸エチル４８５部を投入し、密閉状態で１００℃、５時間反応を行い、分子末端にイソシアネート基を有する［プレポリマー溶液１］を得た。［プレポリマー溶液１］のＮＣＯ含量は１．７％であった。
【００６６】
実施例１
ビーカー内に［プレポリマー１］１５０部と［硬化剤１］６部とを混合して分散相を調製した。［乳化装置］の連続相の流路（Ｐ１）を［分散液１］で満たした後、（Ｐ１）に［分散液１］を２．５ｇ／ｍｉｎ、分散相の微細流路（Ｐ２）に分散相を１．５ｇ／ｍｉｎ流動させた。（Ｐ１）の［分散液１］の流れの中に（Ｐ２）から分散相の液を吐出させて分散液を得た。撹拌棒および温度計をセットした反応容器に該分散液を投入し、５０℃で１０時間反応を行い水性分散体（Ｆ１０）を得た。次いでブロッキング防止剤［「サイロイド９７８」、富士デヴィソン化学製］１部および耐光安定剤［「ＤＩＣ−ＴＢＳ」、大日本インキ化学工業製］０．５部を加えて遠心分離機で濾別、循風乾燥機で５０℃の条件で乾燥を行い樹脂粒子 （Ｆ１）を得た。
【００６７】
実施例２
実施例１において、［分散液１］の代わりに［分散液２］を用いた以外は実施例１と同様にして水性分散体（Ｆ２０）を得て、次いで濾別、乾燥を行い樹脂粒子 （Ｆ２）を得た。
【００６８】
実施例３
ビーカー内に［ポリエステル溶液１］１５０部を混合して分散相を調製した。［乳化装置］の連続相流路（Ｐ１）を［分散液１］で満たした後、（Ｐ１）に［分散液１］を２．５ｇ／ｍｉｎ、分散相流路（Ｐ２）に分散相を１．５ｇ／ｍｉｎ流動させて、実施例１と同じく分散液を得た。エバポレーターに該分散液を投入し、温度３０℃、圧力５０Ｔｏｒｒで３０分間脱溶剤を行い水性分散体（Ｆ３０）を得た。次いで濾別、乾燥を行い樹脂粒子 （Ｆ３）を得た。
【００６９】
実施例４
実施例３において、［分散液１］の代わりに［分散液２］を用いた以外は実施例３と同様にして水性分散体（Ｆ４０）を得て、次いで濾別、乾燥を行い樹脂粒子 （Ｆ４）を得た。
【００７０】
実施例５
ビーカー内に［プレポリマー溶液１］１５０部を混合して分散相を調製した。［乳化装置］の連続相流路（Ｐ１）を［分散液１］で満たした後、（Ｐ１）に［分散液１］を２．５ｇ／ｍｉｎ、分散相流路（Ｐ２）に分散相を１．５ｇ／ｍｉｎ流動させて、実施例１と同じく分散液を得た。エバポレータに該分散液を投入し、温度５０℃、圧力５０Ｔｏｒｒで３０分間脱溶剤を行った後、温度５０℃で１０時間反応を行い、水性分散体（Ｆ５０）を得た。次いで濾別、乾燥を行い樹脂粒子（Ｆ５）を得た。
【００７１】
比較例１
ビーカー内に［プレポリマー１］１５０部と［硬化剤１］６部とを混合しておき、ポリビニルアルコール［「ＰＶＡ−２３５」、（株）クラレ製］２部を溶解した水７０８部を添加し、室温下、ウルトラディスパーサー（ヤマト科学製）を使用し、回転数９，０００ｒｐｍで１０秒間混合した。
混合後、５０℃で１０時間反応を行い水性分散液（Ｇ１０）を得た。次いでブロッキング防止剤［「サイロイド９７８」、富士デヴィソン化学製］１部および耐光安定剤［「ＤＩＣ−ＴＢＳ」、大日本インキ化学工業製］０．５部を加えて遠心分離機で濾別、循風乾燥機で５０℃の条件で乾燥を行い樹脂粒子 （Ｇ１）を得た。
【００７２】
比較例２
比較例１においてポリビニルアルコールの代わりに［分散液１］を用いた以外は比較例１と同様にして水性分散体（Ｇ２０）を得て、次いで濾別、乾燥を行い樹脂粒子 （Ｇ２）を得た。
【００７３】
物性測定例
実施例１〜５および比較例１〜２で得た樹脂粒子 （Ｆ１）〜（Ｆ７）と（Ｇ１）、（Ｇ２）を水に分散して粒度分布、及び体積平均粒径をレーザー回析式粒径測定機マイクロトラック（日機装（株）製）で測定した。
樹脂粒子(C)の体積平均粒径、樹脂粒子(C)の体積平均粒径／樹脂粒子(C)個数平均粒径を表１に示した。
また、分散相粘度、連続相粘度を表１に示した。測定は東機産業社製ブルックフィールド型（Ｂ型）粘度計を使用し、２５℃で測定した。
【００７４】
【表１】
2007031604.tif 000002
【産業上の利用可能性】
【００７５】
本発明の製造方法から得られる樹脂分散体および樹脂粒子 は、電子写真、静電記録、静電印刷などに用いられるトナー、スラッシュ成形用樹脂、粉体塗料、液晶等の電子部品製造用スペーサー、電子測定機器の標準粒子、電子ペーパー用粒子、各種ホットメルト接着剤、その他成形材料等に有用な樹脂粒子として極めて有用である。
【図面の簡単な説明】
【００７６】
【図１】流路、微細流路の説明
【００７７】
【図２】乳化装置の概略図
【符号の説明】
【００７８】
Ｐ１：第１の流路
Ｐ２：第２の微細流路
Ｐ２Ｎ：（Ｐ１）内部の同軸上にあるＮ個の微細流路
ＤＰ：分散相
ＣＰ：連続相
Ｘ：樹脂粒子（Ｃ）の分散液
Ｅ１：分散相入口
Ｅ２：連続相入口
Ｅ３：樹脂粒子（Ｃ）の分散液出口
【図１】
2007031604.tif 000003
【図２】
2007031604.tif 000004